(57)【特許請求の範囲】
【請求項１】
Ｎ本（Ｎは２以上の整数）の走査線と、Ｍ本（Ｍは２以上の整数）のデータ線と、前記走査線に印加される電圧ならびに前記データ線に印加される電圧によって表示状態が制御される複数の表示要素と、前記走査線の駆動回路と、前記データ線の駆動回路と、を具備する表示装置の駆動方法であって、
非選択時における前記走査線の電圧レベルが１つのみであり、
前記データ線に印加される複数の電圧レベルが用意され、
前記走査線の駆動回路に表示制御信号を入力し、その表示制御信号によって、
前記Ｎ本の走査線のうちのＫ本（ＫはＮよりも小さい２以上の整数）が担当するエリアを非表示状態のエリアとし、その他の走査線が担当するエリアを画像表示が可能なエリアとし、
前記Ｋ本の走査線については選択電圧を印加することなく前記非選択時の電圧レベルに保持しておき、かつ、前記Ｋ本の走査線が本来、選択されるべき期間中は、前記Ｍ本のデータ線には、前記複数の電圧レベルの一つであって、かつ、前記非選択時の電圧レベル以外の電圧を印加することを特徴とする表示装置の駆動方法。
【請求項２】
請求項１において、
画像表示が可能なエリアを担当する走査線については、ｈ本（ｈは２以上の整数）の前記走査線を同時に選択して、それらの走査線の各々に所定の選択電圧パターンに基づく走査電圧を印加することを特徴とする表示装置の駆動方法。
【請求項３】
Ｎ本（Ｎは２以上の整数）の走査線と、Ｍ本（Ｍは２以上の整数）のデータ線と、前記走査線に印加される電圧ならびに前記データ線に印加される電圧によって表示状態が制御される複数の表示要素と、前記走査線の駆動回路と、前記データ線の駆動回路と、を具備する表示装置であって、
非選択時における前記走査線の電圧レベルが１つのみであり、
前記データ線に印加される複数の電圧レベルが用意され、
前記走査線の駆動回路に表示制御信号を入力し、その表示制御信号によって、
前記Ｎ本の走査線のうちのＫ本（ＫはＮよりも小さい２以上の整数）が担当するエリアを非表示状態のエリアとし、その他の走査線が担当するエリアを画像表示が可能なエリアとし、
前記Ｋ本の走査線については選択電圧を印加することなく前記非選択時の電圧レベルに保持しておき、かつ、前記Ｋ本の走査線が本来、選択されるべき期間中は、前記Ｍ本のデータ線には、前記複数の電圧レベルの一つであって、かつ、前記非選択時の電圧レベル以外の電圧を印加することを特徴とする表示装置。
【請求項４】
請求項３において、
前記表示装置は、画面の少なくとも一部を覆う部分を有し、その部分により覆われたエリアが、前記非表示状態のエリアとなることを特徴とする表示装置。
【請求項５】
請求項４において、
前記画面の少なくとも一部を覆う部分は、１または複数の可動部材であることを特徴とする表示装置。
【請求項６】
請求項４において、
画面の一部が本体の内部に収納されることによって、その本体内部に収納された部分が非表示状態のエリアとなり、前記本体内部に収納されていた部分が本体の外部へと出ることによってその部分も表示可能なエリアとなることを特徴とする表示装置。
【請求項７】
請求項３に記載の表示装置を搭載した電子機器。
【発明の詳細な説明】
【０００１】
【発明の属する技術分野】
本発明は、表示装置の駆動方法，表示装置および電子機器に関し、特に、表示装置の消費電力を低減する技術に関する。
【０００２】
【背景技術】
単純マトリクス型の液晶表示装置は、アクティブマトリクス型液晶表示装置に比べ、基板に高価なスイッチング素子を用いる必要がなく安価であることから、携帯型コンピュータのモニタや携帯用電子機器等に広く用いられている。
【０００３】
この単純マトリクス型の液晶表示装置の駆動方法としては、以下のものが知られている。
【０００４】
▲１▼ＡＰＴ法（IEEE TRANSACTIONS OF ELECTRON DEVICE,VOL, ED-21 ,No2, FEBRUARY 1974 P146-155"SCANNING LIMITATIONS OF LIQUID-CRYSTAL DISPLAYS"P.ALT,P.PLESHKO、ALT＆PLESHKO TECHNIC）。
【０００５】
▲２▼Smart Addressing（LCD International'95 ，日経ＢＰ社主催の液晶ディスプレイ・セミナー，Ｃ−４ 講演番号（１），鳥取三洋電機，松下氏）。
【０００６】
▲３▼マルチライン駆動方法（例えば、特願平４−８４００７号公報，特開平５−４６１２７号公報，特開平６−１３０９１０号公報）。
【０００７】
【発明が解決しようとする課題】
近年、携帯電話やページャ等の携帯用電子機器の分野では、小型化，軽量化の他に、電池を交換をしないで表示できる時間の延長の要求が高まっている。したがって、携帯用電子機器に搭載される表示装置には、低消費電力であることが厳しく求められる。
【０００８】
本発明者は、単純マトリクス型の液晶表示装置について、消費電力低減の観点から種々の検討を行った。
【０００９】
その結果、従来の単純マトリクス型液晶表示装置では、表示オフ状態においても、走査線，信号線のそれぞれに振幅２０Ｖ以上の交流波形を供給しなければならず、その交流波形を作り出すための電圧源回路における消費電力が大きく、また、液晶を介して走査線とデータ線との間に流れる電流も大きいことがわかった。
【００１０】
そして、このような問題点を解決するべく、本発明がなされた。
【００１１】
【課題を解決するための手段】
本発明の主要な目的の一つは、単純マトリクス型液晶表示装置等の表示装置の消費電力の削減を図ることにある。
【００１２】
本発明の表示装置の駆動方法の好ましい態様では、非選択時における走査線の電圧レベルが一つのみであり、表示要素を非表示状態とする場合には、その表示要素に対応するデータ線の電圧レベルを、走査線の非選択時の電圧レベルとする。
【００１３】
この駆動方法によれば、走査線に印加する選択電圧の極性を周期的に反転させて画像の表示を行う駆動方式を採用していても、走査線の選択電圧の極性にかかわらず、非選択電圧レベルは常に同じ（一つ）である。よって、データ線の電圧レベルをその走査線の非選択電圧レベルとすることにより、容易に非表示状態を実現できる。
【００１４】
ここで、非表示状態とは表示のオフ状態を意味する。そして、表示のオフ状態の画面は、表示オフモードの画面である。表示オフモードは、極めて低い消費電力を実現するためのモードである。以下の明細書の記載では、主に、「表示オフ状態」，「表示オフモード」ならびに「表示オフモードの画面」という表現を用いる。
【００１５】
本発明では、走査線を非選択電圧としておき、データ線を同じ電圧にすれば、両者間の電圧差がなくなって表示オフ状態（表示オフモード）となる。
【００１６】
非選択電圧レベルが一つであるため、その非選択電圧を発生する電圧源回路の構成が簡素化され、その電圧源回路における消費電力が削減される。また、非選択電圧を周期的に変動させる場合に比べて、データ線電圧を走査線電圧に一致させることが容易となり、走査線とデータ線間の電位差に起因する表示パネルにおける電力消費も低減される。よって、表示装置の消費電力が低減される。
【００１７】
また、データ線の電圧レベルを走査線の非選択電圧レベルに維持した状態で、走査線に選択パルスを入力したとしても、表示オフ状態は維持される。選択期間において走査線を選択するだけでは液晶のしきい値を越えず、表示はなされないからである。
【００１８】
このことを利用すると、データ線に与える電圧を適宜に制御することで、一つの画面において、一部のエリアを表示オフモードとしておき、他のエリアにはアイコン等の所定の表示を行うことが可能となる。
【００１９】
本発明の好ましい態様では、データ線を駆動するための複数のＩＣの各々に表示制御信号を入力し、その表示制御信号により、各々のＩＣのデータ線駆動用出力の少なくとも一部を、走査線の非選択時の電圧レベルとする。
【００２０】
データ線ドライバとして複数のＩＣを用意しておき、各ＩＣを単位としてデータ線駆動出力を、走査線の非選択時の電圧レベルに固定するものである。したがって、そのＩＣが担当するエリアを表示オフ状態（表示オフモード）とすることができる。
【００２１】
また、本発明の好ましい態様では、データ線駆動用出力の少なくとも一部を走査線の非選択時の電圧レベルとすることに対応して、表示データまたは表示データの転送用クロックのうちの少なくとも一つの前記ＩＣへの供給も停止する。
【００２２】
表示オフ状態となるエリア（表示オフモードのエリア）の表示データや、その表示データの転送に用いる高周波クロックの送信を停止することにより、さらに低消費電力化を推進できる。
【００２３】
また、本発明の好ましい態様では、データ線の駆動回路に表示制御信号を入力し、その表示制御信号によってデータ線駆動出力の各々を個別に制御して、所望の駆動出力を選択的に走査線の非選択時の電圧レベルとする。
【００２４】
これにより、表示オフ状態とするエリアを自由に設定することができる。
【００２５】
また、本発明の好ましい態様では、データ線の駆動回路を複数のブロックにより構成しておき、データ線の駆動回路に表示制御信号を入力し、その表示制御信号により、ブロック単位でデータ線駆動出力を制御して、該当するブロックのデータ線駆動出力を走査線の非選択時の電圧レベルとする。
【００２６】
これにより、ブロック単位で、表示オフとするエリアを自由に設定することができる。
【００２７】
また、本発明の好ましい態様では、複数の走査線のうちｈ本の走査線（ｈは、２以上の整数）を同時に選択して、それらの走査線の各々に所定の選択電圧パターンに基づく走査電圧を印加すると共に、前記データ線の各々には、前記選択電圧パターンと前記表示要素の表示状態を示す表示データとの比較に基づき決定される電圧を印加して所望の表示を行い、画像表示を行わない状態（画像オフモードの画面）とする場合には、データ線駆動回路に入力する表示制御信号によって、データ線駆動出力の少なくとも一部を、走査線の非選択時の電圧レベルとする。
【００２８】
上述の表示オフ状態（表示オフモードの画面）を実現する駆動法を、いわゆるマルチライン駆動を採用した表示装置に適用するものである。
【００２９】
この場合、画像表示の際には、走査線に印加する選択電圧のレベルを低下できるというマルチライン駆動法の効果によって低消費電力化ができ、表示オフ状態の場合の消費電力削減の効果とあいまって、さらに消費電力を低減できる。
【００３０】
また、本発明の好ましい態様では、マルチライン駆動における同時選択される走査線の本数ｈを偶数とする。
【００３１】
走査線の同時選択数が「ｈ」である場合に、データ線の電圧レベル数は必ず「ｈ＋１」となる。そして、ｈが偶数の場合には「ｈ＋１」は奇数であり、したがって、データ線の電圧レベルは、「所定の基準電圧レベル」を中心として正負両側に対称的な偶数個の電圧レベルが、必ず設定される。この「所定の基準電圧レベル」を、非選択時の走査電圧レベルに一致させることができる。つまり、走査線の同時選択数が偶数の場合には、データ線の電圧レベルのうちの中心に位置する電圧レベルを、走査線の非選択時の電圧レベルに一致させることができる。よって、表示オフ状態の実現のために、データ線の電圧レベルとして新たに走査線の非選択時の電圧レベルを設定する必要がない。よって、設計が容易であり、回路が複雑化せず、低消費電力化に有利である。
【００３２】
また、本発明の好ましい態様では、マルチライン駆動における同時選択される走査線の本数ｈは、２，４，６，８のいずれかである。
【００３３】
同時選択する走査線の本数を増加すると、その駆動を実現するための回路の規模が大きくなり、かえって低消費電力化の要請に反することになる。よって、同時選択される走査線の本数ｈは、２，４，６，８が現実的である。
【００３４】
また、本発明の表示装置では、上述の駆動方法を採用し、所望のデータ線に非選択時の電圧を与え、これによって表示オフ状態とするべきエリア（表示オフモードとなっているエリア）を自在に設定する。
【００３５】
また、本発明の表示装置の好ましい態様では、表示制御データと表示データとのデコードによって各データ線を単位として表示オフ状態となるエリアを指定したり、あるいは、複数の表示制御信号の組合せにより、例えば所定のブロック単位で表示オフ状態となるエリアを指定する。
【００３６】
また、本発明の表示装置の好ましい態様では、表示可能なエリアのサイズを、表示オフ状態のエリア（表示オフモードのエリア）のサイズよりも小さくして、例えば、待機時における不要な電力消費を抑制するようにする。
【００３７】
また、本発明の表示装置の好ましい態様では、表示装置は、画面の少なくとも一部を覆う部分を有し、その部分により覆われたエリアが、表示オフ状態となるエリアとなる。
【００３８】
表示オフ状態のエリアは、ユーザーに見えないようにするものである。画面の少なくとも一部を覆う部分は、１または複数の可動部材、例えば、スライドするカバーで構成することができる。また、画面の全部または一部が使用状態に応じて本体内に収納されるようにすることもできる。
【００３９】
また、本発明の電子機器は、上述の表示オフ状態のエリアを適宜に指定可能な表示装置を搭載した電子機器である。
【００４０】
また、本発明の好ましい態様は、Ｎ本（Ｎは２以上の整数）の走査線と、Ｍ本（Ｍは２以上の整数）のデータ線と、走査線に印加される電圧ならびに前記データ線に印加される電圧によって表示状態が制御される複数の表示要素と、走査線の駆動回路と、データ線の駆動回路と、を具備する表示装置の駆動方法であって、
走査線の駆動回路に表示制御信号を入力し、その表示制御信号によって、Ｎ本の走査線のうちの連続するＫ本（ＫはＮよりも小さい２以上の整数）の走査線を選択の対象から除外して、（Ｎ−Ｋ）本の走査線のみを選択の対象として表示を行わせ、かつ、その（Ｎ−Ｋ）本の走査線の駆動を実行する場合には、Ｎ本の走査線の駆動を行う場合に比べて、走査線の選択時の電圧レベルを低くする。
【００４１】
表示オフ状態とするエリアの境界位置を、走査線の配置方向（Ｙ方向）において適宜に決める場合に、表示を行わないエリアを担当するＫ本の走査線については選択の対象から除外するものである。これによって、表示装置の駆動におけるデューティー（駆動走査線数）が変化し、これに伴って、適正な表示を行うことができる走査線の選択電圧レベルも低くなる。選択電圧レベルを低くする分、電力消費を低減できる。
【００４２】
また、走査線の選択時の電圧レベルの変更は、可変電圧源から走査線駆動回路に供給する電圧のレベルを、表示制御信号によって変更することにより行うことがえきる。可変電圧源は、ブートストラップ回路を利用して構成可能である。
【００４３】
また、本発明の好ましい態様では、マルチライン駆動法を用いた画像表示にあたって、表示画像の解像度変換を行う。
【００４４】
解像度変換は、解像度変換信号によって解像度１／Ｑ（Ｑは２以上の整数）が指定された場合に、連続するＱ本の走査線に同一の走査電圧を印加し、これにより同時に（Ｑ×ｈ）本の走査線を選択することにより行われる。解像度１／Ｑは、表示装置の駆動におけるデューティーを変化させることなく、画像サイズをＱ倍にすることを意味する。この場合、消費電力はほぼ同じでありながら、画像が拡大されることからユーザーの視覚に訴える力が増大するという効果がある。
【００４５】
また、本発明の好ましい態様では、Ｎ本（Ｎは２以上の整数）の走査線と、Ｍ本（Ｍは２以上の整数）のデータ線と、走査線に印加される電圧ならびにデータ線に印加される電圧によって表示状態が制御される複数の表示要素と、走査線の駆動回路と、データ線の駆動回路と、を具備する表示装置を駆動するにあたって、
非選択時における前記走査線の電圧レベルが１つのみであり、
走査線の駆動回路に表示制御信号を入力し、その表示制御信号によってＮ本の走査線のうちの連続するＫ本（ＫはＮよりも小さい２以上の整数）が担当するエリアを表示が行われないエリアとし、その他の走査線が担当するエリアを表示が可能なエリアとし、Ｋ本の走査線については選択電圧を印加することなく非選択時の電圧レベルに保持しておき、かつ、Ｋ本の走査線が本来、選択されるべき期間中は、データ線には表示を行う際に印加するべき電圧を印加する。
【００４６】
表示オフ状態とするエリアの境界位置を、走査線の配置方向（Ｙ方向）において適宜に決める場合に、表示オフ状態となるエリアを担当するＫ本の走査線についても選択の対象として駆動のデューティーを変化させず、その一方、データ線には、その表示オフ状態となるエリアに対応する期間中は、走査線の非選択時の電圧ではなくて、表示を行う場合の電圧レベルを供給するものである。駆動のデューティーを変化させないため、走査線の選択電圧レベルを変更する必要がない。よって、電圧源回路の構成が複雑化することもない。複数の走査線を同時に選択する駆動法を採用する場合にも、本駆動法を適用できる。
【００４７】
また、本発明の表示装置の好ましい態様では、上述の種々の駆動法を採用して、例えば待機状態のときに、必要最小限の表示エリア以外のエリアを表示オフ状態のエリア（表示オフモードの画面）とし、消費電力を削減する。
【００４８】
また、本発明の表示装置の好ましい態様では、走査線またはデータ線への電圧印加経路に複数のスイッチ手段を設け、画像を表示しない状態のときに、そのスイッチ手段を開状態として走査線またはデータ線を電位的にフローティング状態とする。
【００４９】
この場合、走査線と、走査線とデータ線との間に存在する液晶等の電気光学素子と、データ線とを結ぶ経路は、電圧源から完全に切り離される。よって、電気光学素子を介して不要な電流が流れる恐れがなくなる。但し、走査線とデータ線が電位的に不安定であり、静電気等に起因して不所望な画面が形成される場合も想定されるため、カバー等で表示パネルの全面を覆ってユーザーに不快感を与えないようにするのが望ましい。
【００５０】
また、本発明の表示装置の好ましい態様では、少なくとも２つの表示パネルを有し、１つのパネルの駆動のデューティーを適宜に設定して、走査線の選択電圧レベルと、データ線に印加する電圧のレベルとを一致させる。これにより、電圧源回路の構成が簡素化される。
【００５１】
また、本発明の表示装置の好ましい態様では、表示マトリクスを駆動するための駆動回路に、走査線を駆動するための機能とデータ線を駆動するための機能とを併せ持たせておく。
【００５２】
この場合、画像表示エリアの形状やサイズに応じて適宜にその機能を切換えて、駆動のデューティーを変化させることにより、走査線の選択時の電圧を低減でき、画像表示時の消費電力を削減することができる。
【００５３】
【発明の実施の形態】
本発明の実施の形態について説明する前に、本発明前に本発明者によってなされた従来技術の検討内容について説明する。
【００５４】
（１）本発明者によってなされた検討
単純マトリクス型液晶表示装置は、図４４に示すように複数の走査線Ｙ１〜Ｙｎをもつ第１の基板と、複数のデータ線Ｘ１〜Ｘｍをもつ第２の基板との間に液晶を封じ込め、Ｙドライバ（走査線駆動回路）４０００およびＸドライバ（データ線駆動回路）５０００により各走査線および各データ線を駆動し、走査線とデータ線の交点に位置する画素（表示要素）の表示状態を制御して所望の表示を行う。
【００５５】
図４５に、従来の液晶表示装置の走査線ならびにデータ線の電圧レベルを示す。
【００５６】
図４５の左側が走査線の電圧レベルであり、右側がデータ線の電圧レベルである。
【００５７】
走査線の選択時の電圧レベルとしてはＶA6，ＶA1の正負２つのレベルが用意され、非選択時の電圧レベルも同じくＶA5，ＶA2の正負２つのレベルが用意されている。一方、データ線の電圧レベルに関しても、正側の２つの電圧レベルＶA4，ＶA6と、負側の２つの電圧レベルＶA1，ＶA3が用意されている。正側および負側の電圧レベルが用意されているのは、液晶表示装置では、直流電圧印加による液晶の劣化防止等のために、走査線またはデータ線に印加する電圧の極性を周期的に反転させる必要があるからである。
【００５８】
単純マトリクス型液晶表示装置の駆動波形を図４６に示す。上側が走査線の駆動波形であり、下側がデータ線の駆動波形である。時刻ｔ１から時刻ｔ２まで、および時刻ｔ４から時刻ｔ５までが画素のオン期間であり、時刻ｔ２から時刻ｔ３までと、時刻ｔ５以降は画素のオフ期間である。
【００５９】
画素のオフ期間に着目すると、画像の表示を行わない状態を実現するためには、走査線および信号線の駆動電圧を周期的に反転しなければならず、その振幅は２０Ｖ以上もある。
【００６０】
例えば、１走査線毎に駆動電圧の極性を反転する駆動法を採用し、図４７に示すように、データ線Ｙ１と走査線Ｘ１，Ｘ２，Ｘ３，Ｘ４で特定される領域「Ａ」に画像を表示し、データ線Ｙ２，Ｙ３，Ｙ４と走査線Ｘ１，Ｘ２，Ｘ３，Ｘ４で特定される領域「Ｂ」を画像を表示しない状態とする場合を考える。図４７中、「＋」，「−」は駆動パルスの極性を示す。
【００６１】
領域「Ｂ」を表示オフ状態とするには、走査線の駆動パルスの極性に対応させて、データ線Ｙ２，Ｙ３，Ｙ４の駆動パルスの極性を１走査線毎に反転させなければならないことがわかる。したがって、駆動波形をつくりだす電圧源回路の構成が複雑化して消費電力が大きく、また、データ線電圧ならびに走査線電圧が常に変動しているために、走査線とデータ線間の電位差に起因して液晶を介して流れる電流も無視できず、表示パネルにおける電力消費も大きい。
【００６２】
（２）第１の実施の形態
上述の問題点を解決するべく、本発明の駆動方法では、図１Ａ，図１Ｂのような走査線およびデータ線の駆動電圧レベルを用意し、そして、図２に示すように、表示オフ状態（表示オフモードの画面）とする場合には、走査線およびデータ線の電圧レベルを共にＶｃに固定する。
【００６３】
走査線やデータ線の駆動電圧の極性に関係なく、表示オフ状態（表示オフモード）では、走査線およびデータ線の電圧レベルは常にＶｃに固定されるため、電圧源回路の構成が簡素化されて消費電力を低減できる。また、理論的には、走査線とデータ線との間に電位差がないため、表示パネルにおいても無駄な電流が流れない。
【００６４】
図１Ａ，図１Ｂの電圧レベルについて、より具体的に説明する。
【００６５】
図１Ａは、一本一本走査線を選択していく通常の駆動方法（ＡＴＰ法）に本発明を適用した場合の駆動電圧レベルを示し、左側が走査線の電圧レベルであり、右側がデータ線の電圧レベルである。
【００６６】
走査線の選択時の電圧レベルはＶMX1，−ＶMX1であり、非選択時の電圧レベルはＶｃ一つのみである。一方、データ線の電圧レベルは、ＶMY1，ＶMY2およびＶｃである。Ｖｃは例えば、グランドレベルである。
【００６７】
図１Ｂは、複数本の走査線を同時に選択するいわゆるマルチライン駆動法（図１Ｂの場合は、４本を同時に選択する）の駆動電圧レベルを示し、左側が走査線の電圧レベルであり、右側がデータ線の電圧レベルである。走査線の選択時の電圧レベルは、ＶX1，−ＶX1の２つであり、非選択時の走査線の電圧レベルはＶｃのみである。一方、データ線の電圧レベルは、ＶY1，ＶY2，Ｖｃ，ＶY4，ＶY5の５つである。
【００６８】
次に、図２の構成について具体的に説明する。
【００６９】
図２において、Ｘドライバ２はデータ線Ｄ１，Ｄ２，Ｄ３，Ｄ４を駆動し、Ｙドライバ４は、走査線Ｓ１，Ｓ２，Ｓ３を駆動する。走査線とデータ線の交点に画素が配置されて液晶パネル６が構成されている。
【００７０】
例えば、液晶パネル６を携帯電話に使用したとして、通話時のみ液晶パネル６に画像を表示し、待機時には何らの表示を行わないとする。携帯電話が待機モードにあるとき、表示制御信号ＤＯＦＦのレベルをアクティブ（例えばＬ）とすることにより、Ｘドライバ２およびＹドライバ４の駆動出力をすべてＶｃに固定する。これにより、極めて低消費電力な表示オフ状態が実現される。
【００７１】
なお、Ｙドライバ４は、通常どおり、走査線１本毎あるいは複数本毎に駆動パルスを与えて走査線を選択するようにしても、Ｙドライバの全出力をＶｃに固定してある以上、表示オフ状態は維持される。つまり、液晶は、図６に示すように所定のしきい値電圧（Ｖｔｈ）を越えない限り透過率の変化を生じず、そして、選択時において走査線に選択パルスを入力しただけでは、データ線電圧がＶｃとなっている以上、しきい値電圧を越えることがないからである。
【００７２】
このことを利用すると、各データ線に与える電圧を適宜に制御することにより、図２のように液晶パネル６の全面を表示オフさせるだけでなく、液晶パネルのうちの一部のエリアだけを、表示オフ状態とすること（部分的な表示オフ）も可能となる。部分的な表示オフ状態の実現については、以下の実施の形態で、詳しく説明する。
【００７３】
（３）第２の実施の形態
図３Ａは、本発明の第２の実施の形態にかかる液晶表示装置の構成を示し、図３Ｂは図３Ａの装置における表示制御の態様を示す。
【００７４】
本実施の形態の特徴は、データ線Ｘ１６０を境界として画面を縦に分割し、図３Ｂに示すように、領域８０を画像表示エリアとし、領域９０を画像表示に使用しないエリア（表示オフ状態のエリア）とすること、ならびに、その画面の分割を、データ線駆動用の複数のＩＣの出力制御により行うことである。
【００７５】
図２では、表示パネルの全面を表示オフ状態（表示オフ画面）としたが、例えば携帯電話の待機時においても、あとどのくらい通話が可能かを示す表示やスピーカーの音量等を示す最小限の表示をしたい場合がある。この場合、最小限の表示を行うエリアのみを確保し、他のエリアを表示オフモード（表示オフ状態）としておけば、消費電力を最小限に抑えることができる。
【００７６】
図３Ａにおいて、参照番号１０，２０，３０，４０はデータ線駆動用ＩＣであり、それぞれ１６０本のデータ線の駆動を担当する。表示制御信号としてＤＯＦＦ（Display Off）１，ＤＯＦＦ２の２つが用意され、ＤＯＦＦ１はデータ線駆動用ＩＣ１０に入力され、ＤＯＦＦ２はデータ線駆動用ＩＣ２０，３０，４０に共通に入力される。
【００７７】
表示制御信号ＤＯＦＦ１，ＤＯＦＦ２は共にローレベルがアクティブレベルであり、このとき、データ線駆動用ＩＣの駆動出力はすべて、図１Ａ，図１Ｂに示す電圧レベルＶｃ（走査線の非選択時の電圧レベル）に固定される。また、参照番号５０，６０は走査線駆動用のＩＣであり、それぞれ１２０本の走査線の駆動を担当する。
【００７８】
ＤＯＦＦ１を「Ｈ」，ＤＯＦＦ２を「Ｌ」とすると、データ線駆動用ＩＣ２０，３０，４０の駆動出力（データ線Ｘ１６０〜Ｘ６４０の駆動出力）はＶｃに固定される。これにより、図３Ｂに示すように、液晶パネル７０の画面のうちのエリア９０は、表示オフ状態（表示オフモード）となる。
【００７９】
一方、データ線駆動用ＩＣ１０は、データ線Ｘ１〜Ｘ１６０に対して所望の画像表示を行うための駆動出力を送出する。また、走査線駆動用ＩＣ５０，６０は、例えば、走査線を１本１本順次に選択していく。これによって、図３Ｂに示すように、液晶パネル７０のエリア８０に所定の表示がなされる。
【００８０】
一方、エリア９０は常時、表示オフ状態となっており、走査線が選択されているときには選択電圧が印加されるものの、非選択のときは走査線およびデータ線が共にＶｃに維持されるため、液晶を介して無駄な電流が流れず、液晶パネル７０自体の消費電力が削減される。
【００８１】
また、第１の実施の形態と同様に、液晶駆動の極性に対応させて表示オフとするための制御電圧の極性を切り換える必要がないため、その制御電圧を作成する電圧源回路の構成も簡素化され、電圧源回路における消費電力も大幅に低減される。
【００８２】
なお、表示制御信号ＤＯＦＦによって、一つのＩＣの出力のうちの一部のみを制御するようにしてもよい。
【００８３】
（４）第３の実施の形態
図４Ａに示される液晶表示装置では、液晶パネル７０のデータ線ドライバ（Ｘドライバ）として２つのドライバ１００，１１０を設けている。走査線ドライバ（Ｙドライバ）２０は、例えば、走査線を１本１本選択していくタイプのドライバである。なお、図４Ａの参照番号１３０はオアゲートである。
【００８４】
本実施の形態では、４つの表示制御信号ＤＯＦＦ０，ＤＯＦＦ１，ＤＯＦＦ２，ＤＯＦＦ３を用意し、各制御信号の電圧レベルを制御することで、図４Ｂに示すように、表示オフ状態とするエリアを適宜に選択することができる。
【００８５】
つまり、図４Ｂに示すように液晶パネル７０の全表示エリアを「Ａ」とした場合、ＤＯＦＦ０のみが「Ｌ」のときは、エリア「Ｂ」のみが表示オフ状態となる。また、ＤＯＦＦ０，ＤＯＦＦ１の２つが「Ｌ」となると、領域「Ｂ」および領域「Ｃ」が表示オフ状態となり、ＤＯＦＦ０〜ＤＯＦＦ３が「Ｌ」となると領域「Ｂ」，領域「Ｃ」および領域「Ｄ」が表示オフ状態となり、ＤＯＦＦ０〜ＤＯＦＦ３が全て「Ｌ」となると領域「Ｅ」を含む、液晶パネル７０の全画面が表示オフ状態となる。
【００８６】
（５）第４の実施の形態
表示パネルの一部のエリアを表示オフモードとすることに対応して、そのエリアに関する表示データ（表示オフを示す画像データ）やその画像データの転送用のクロックも停止することにより、さらに表示装置の消費電力を低減することができる。以下、このような動作を実現するための回路構成について説明する。
【００８７】
図７Ａに、液晶パネルのデータ線駆動回路の要部構成が示される。このデータ線駆動回路は、走査線を１本ずつ選択していくタイプの駆動方法に用いられるものであり、図５（図１Ａ）の右側に示されるような３つの電圧レベル（ＶMY1，Ｖｃ，ＶMY2）をデータ線に出力する。
【００８８】
図７Ａの回路は、動作タイミングコントローラ２００と、データ線駆動用データを一時的に記憶するデータシフトレジスタ２１０と、ラッチ２２０と、レベルシフタ２３０と、３つの電圧レベル（ＶMY1，Ｖｃ，ＶMY2）のうちから一つを選択する電圧セレクタ２４０とを具備する。参照番号２５０は液晶パネルである。
【００８９】
図７Ａ中、ＸＳＣＬはデータ線駆動用データを転送するためのクロックを示し、ＬＰは選択パルスに相当するパルスであり、ＹＤは１フレーム期間の開始を示す信号であり、ＤＡＴＡはデータ線駆動用のデータであり、ＤＯＦＦは表示制御信号である。
【００９０】
図７Ｂに示すように、時刻ｔ１に表示制御信号ＤＯＦＦが「Ｌ」となると、電圧セレクタ２４０の出力がＶｃに固定され、液晶パネル２５０の該当エリアは、表示オフモードとなる。
【００９１】
このとき、表示オフモードの開始に対応させて、図７Ａの動作タイミングコントローラ２００に供給するデータ線駆動用データ（ＤＡＴＡ）ならびに転送用クロック（ＸＳＣＬ）を停止すれば、無駄な電力消費を防止できる。なお、データとクロックのうちのいずれか一つを停止するだけでも、消費電力の削減の効果はある。特に、転送用クロックは高周波信号であり、このクロックを止めることの効果は大きい。
【００９２】
データや転送用クロックの停止は、例えば、液晶表示装置の動作を統括的に制御するマイクロコンピュータの制御によって行われる。
【００９３】
図８Ａは、表示オフモードの開始に対応させてデータおよびクロックの双方を停止させる場合の動作を示すタイミングチャートである。図８Ａでは、図３Ａの例のように、２つの制御信号（ＤＯＦＦ１，ＤＯＦＦ２）により、液晶パネルの一部のエリアを部分的に表示オフモードとすることを想定している。
【００９４】
図８ＡのようにＤＯＦＦ１が「Ｈ」，ＤＯＦＦ２が「Ｌ」の場合には、転送クロック４０個分のデータは供給されるが、それ以降のデータ転送（およびクロック供給）は停止されている。
【００９５】
図８Ｂに示すように、ＤＯＦＦ１，ＤＯＦＦ２が共に「Ｈ」となると部分的な表示オフモードは解除され、これに伴ってデータおよびクロックの停止も解除される。
【００９６】
（６）第５の実施の形態
本実施の形態では、表示オフモードとなるエリアの開始位置を自由に設定する。
【００９７】
図９は、そのような表示制御を行うための、データ線ドライバ（Ｘドライバ）の要部構成の一例を示す。回路構成は、図７Ａとほぼ同じであるが、各駆動出力毎の表示制御データ（ＤＯＦＦ）を一時的に記憶する、駆動出力数と同じ段数のシフトレジスタを設けた点、ならびにアンドゲートＡＤ１，ＡＤ２・・・ＡＤｍを設けたことである。
【００９８】
アンドゲートＡＤ１，ＡＤ２・・・ＡＤｍは、各駆動出力に対応して設けられており、データ線駆動データ（ＤＡＴＡ）と表示制御データ（ＤＯＦＦ）とのアンドをとって出力する機能をもつ。
【００９９】
表示制御データ（ＤＯＦＦ）が「Ｌ」の場合には、アンドゲートの出力は所定値に固定され、その固定値のデータがラッチ２２０に記憶される。その固定値のデータがあると、電圧セレクタ２４０は、そのデータに対応する駆動出力レベルを上述のＶｃに固定する。これにより、駆動出力の一つ一つを単位として、表示オフモードとなるエリアの開始位置を自由に設定できる。
【０１００】
図１０Ａ，図１０Ｂは、表示制御信号ＤＯＦＦ２のレベルを適宜のタイミングで変化させ、これに対応してデータ転送、クロック供給も停止させて、表示オフモードのエリアを自由に設定する例のタイミングチャートを示す。
【０１０１】
（７）第６の実施の形態
表示オフモードとなるエリアを決定する他の方法が図１１〜図１５に示される。
【０１０２】
図１１に示すように、４つの表示制御信号ＤＯＦＦ１〜ＤＯＦＦ４の電圧レベルの組合せにより、図１２Ａ〜図１２Ｃに示すように種々に、表示画面２７０中に表示オフモードとなるエリアを設定することができる。図１２Ａ〜図１２Ｃ中、斜線を施したエリアが表示オフモードとなっているエリアである。
【０１０３】
図１３は、図１１のＸドライバ２８０の具体的な構成の一例を示す図である。
【０１０４】
４つのデコーダ３００，３１０，３２０，３３０が設けられ、表示制御信号ＤＯＦＦ１〜ＤＯＦＦ４の各々が各デコーダに入力されるようになっている。
【０１０５】
図１４は、Ｘドライバの具体的な構成の他の例を示す図である。
【０１０６】
この例では、デコーダ（DOFF POSITION DECORDER）４００によって表示制御信号ＤＯＦＦ１〜ＤＯＦＦ４をデコードして、各デコーダ３００，３１０，３２０，３３０の制御信号ＤＸ１〜ＤＸ４を作成している。
【０１０７】
デコーダ（DOFF POSITION DECORDER）４００は、例えば、図１５に示すような、２つのオア回路４１０，４１２を用いた回路構成となっている。
【０１０８】
（８）第７の実施の形態
第１の実施の形態で説明した表示オフモード画面の作成法を、いわゆるマルチライン駆動法（ＭＬＳ駆動法）に適用すると、ＭＬＳ駆動法の特徴である走査線に印加する電圧レベルの低下の効果と相まって、液晶表示装置のさらなる低消費電力化が可能である。また、表示品質も向上する。
【０１０９】
第１の実施の形態で説明した表示オフモード画面の作成法を、いわゆるマルチライン駆動法（ＭＬＳ駆動法）に適用する場合には、同時選択される走査線の本数Ｌを偶数とするのが望ましく、さらに好ましくは、Ｌは、２，４，６，８のいずれかに設定するのがよい。以下、その理由を説明する。なお、マルチライン駆動方法の概要については後述する。
【０１１０】
図１６Ｂに示すように、走査線の同時選択数が「Ｌ」である場合に、データ線の電圧レベル数は必ず「Ｌ＋１」となる。そして、「Ｌ」が偶数の場合には「Ｌ＋１」は奇数であり、したがって、データ線の電圧レベルは、「所定の基準電圧レベル」を中心として正負両側に対称的な電圧レベルが、必ず設定される。この「所定の基準電圧レベル」を、非選択時の走査線の電圧レベルに一致させることができる。
【０１１１】
つまり、走査線の同時選択数が偶数の場合には、データ線の電圧レベルのうちの中心となる電圧レベルは、走査線の非選択時の電圧レベルに一致させることが可能なのである。よって、表示オフ状態の実現のために、データ線の電圧レベルとして、走査線の非選択時の電圧レベルと同じ電圧レベルを新たに追加する必要がない。よって、設計が容易化され、回路が複雑化せず、低消費電力化に有利である。
【０１１２】
図１６Ａ（図１Ｂ）に、４本の走査線を同時に選択する駆動方法を採用した場合の、走査線およびデータ線の電圧レベルを示す。図１６Ａにおいて、左側が走査線の電圧レベルであり、右側がデータ線の電圧レベルである。Ｌ＝４であるため、データ線の電圧レベルとしては、ＶY1，ＶY2，Ｖｃ，ＶY4，ＶY5の５つ（Ｌ＋１）の電圧レベルが用意されている。そして、ＶY1，ＶY2とＶY4，ＶY5とは、Ｖｃを基準として対称に設定されたレベルである。そして、Ｖｃは、走査線の非選択電圧レベルに他ならない。よって、表示オフモードのエリアを設定する場合には、走査線およびデータ線の電圧をＶｃに固定すればよい。
【０１１３】
なお、走査線の同時選択数「Ｌ」が奇数の場合は、データ線の電圧レベル数は偶数となり、各電圧レベルの中心には、基準となる電圧は存在しない。よって、この場合には、表示オフモードを実現するための電圧レベルとして、上述のＶｃに相当するレベルを、データ線の電圧レベルに新たに追加する必要がある。
【０１１４】
上述したように、マルチライン駆動における同時選択される走査線の本数Ｌは、２，４，６，８のいずれかであるのが望ましい。
【０１１５】
これは、同時選択する走査線の本数を増加すると、その駆動を実現するための回路の規模が大きくなり、かえって低消費電力化の要請に反することになるからである。よって、同時選択される走査線の本数Ｌは、２，４，６，８が現実的である。
【０１１６】
（９）第８の実施の形態
Ａ．装置構成
マルチライン駆動法を採用し、かつ、表示オフモードとなるエリアを適宜に設定することができる液晶表示装置の構成例を、図１７および図１８に示す。
【０１１７】
まず、図１７に示される液晶表示装置の構成について説明する。
【０１１８】
モジュールコントローラ２３４０内のＤＭＡ制御回路２３４４は、マイクロプロセッサ（ＭＰＵ）２３００からの指示を受けると、ビデオＲＡＭ（ＶＲＡＭ）２３２０にアクセスし、システムバス２４２０を介して、１フレーム分の画像データを読出し、その画像データ（ＤＡＴＡ）を、クロック（ＸＣＬＫ）と共にデータ線駆動回路に送る働きをする。
【０１１９】
データ線駆動回路（図１７中で、一点鎖線で囲んで示してある）は、制御回路２０００，入力バッファ２０１１，フレームメモリ２５２，出力シフトレジスタ２０２１，デコーダ２５８，電圧セレクタ２１００を具備する。
【０１２０】
なお、参照番号２４００は入力用タッチセンサであり、参照番号２４１０はタッチセンサコントロール回路である。入力用タッチセンサ２４００およびタッチセンサコントロール回路２４１０は、不要な場合には削除してよい。
【０１２１】
また、モジュールコントローラ２３４０内の制御信号発生回路２３４２は、ＭＰＵ２３００からの指示を受けて、第１の表示制御信号（ＯＦＦ）を、データ線駆動回路内の制御回路２０００に出力する。その第１の表示制御信号（ＯＦＦ）のレベルに応じて、制御回路２０００は、電圧セレクタ２１００に供給する第２の表示制御信号（ＤＯＦＦ）のレベルを変化させる。これによって、該当するデータ線の駆動出力が上述の電圧レベルＶｃに固定され、表示オフモードの画面となる。
【０１２２】
また、電源回路（電圧源回路）２４２０は、データ線駆動回路（Ｘドライバ）および走査線ドライバ（Ｙドライバ）２２００に所定の電圧を供給する。
【０１２３】
次に、図１８の液晶表示装置の構成について説明する。
【０１２４】
図１７の液晶表示装置では、モジュールコントローラ２３４０を用いてマルチライン駆動（ＭＬＳ駆動）の制御を行っていたが、図１８の液晶表示装置では、データ線駆動回路（図中、一点鎖線で囲んで示される）をマイクロコンピュータのシステムバス２４２０に直結させ、ＭＰＵ２３００が直接にＭＬＳ駆動の制御を行う構成となっている。データ線駆動回路は、インタフェース回路２４４０，制御回路２４５０，発振回路２４３０等を具備している。表示制御信号（ＤＯＦＦ）はインタフェース回路２４４０を介して制御回路２４５０へと供給されるようになっている。その表示制御信号（ＤＯＦＦ）のレベルに応じて、適宜に表示オフモードのエリアを設定することができるのは、図１７の場合と同様である。
【０１２５】
次に、図１７，図１８に示される電圧セレクタ２１００の構成例について、図１９を用いて説明する。
【０１２６】
図１９の電圧セレクタは、図９に示される構成と同様な構成となっている。つまり、表示制御データ（ＤＯＦＦ）を一時的に記憶するシフトレジスタ２５６と、ＭＬＳデコーダ２５８の出力とシフトレジスタ２５６の記憶データとを入力とするロジックゲート４０４，４０６，４０８，４１０，４１２等を有する。そして、各ロジックゲートの出力によってスイッチＳＷ１〜ＳＷ５の開閉が制御され、所望の電圧が液晶パネル２２５０のデータ線に印加される。図９の表示装置と同様に、表示制御データ（ＤＯＦＦ）の値によって、表示オフモードとするエリアの開始位置を、データ線ドライバの各出力を単位として自由に設定できる。
【０１２７】
Ｂ．ＭＬＳ駆動法の利点および特徴
以下、ＭＬＳ駆動法の利点や特徴について説明する。下記の特徴を有するＭＬＳ駆動法に、第１の実施の形態で説明した表示オフモード画面の作成方法を適用することにより、液晶表示装置のさらなる低消費電力化が可能となる。また、表示品質の向上を図れる。
【０１２８】
ＭＬＳ駆動法は、ＳＴＮ（Ｓｕｐｅｒ  Ｔｗｉｓｔｅｄ  Ｎｅｍａｔｉｃ）液晶パネルなどの、単純マトリクス方式の液晶パネルにおいて、複数の走査線を同時に選択する技術である。これにより、走査線の駆動電圧を低くすることができる。
【０１２９】
また、図２０の上側に示すように、従来の線順次駆動法では、選択パルスの間隔が広く、液晶パネルの透過率が時間経過とともに下がるために、画像表示のコントラストや液晶パネルの透過状態における輝度（透過率）が低下してしまう。これに対し、図２０の下側に示すように、ＭＬＳ駆動法によれば選択パルスの間隔を狭くできるため、液晶パネルの透過率（輝度）の低下が少なく、平均透過率が上がる。したがって、コントラストも向上する。
【０１３０】
Ｃ．ＭＬＳ駆動法の原理
図２１に示すように、２本の走査線Ｘ１，Ｘ２を同時に駆動し、それらの走査線とデータ線Ｙ１とが交差する位置の画素をオン／オフさせる場合を考える。
【０１３１】
オン画素を「−１」とし、オフ画素を「＋１」と記すことにする。このオン／オフを示すデータはフレームメモリ内に格納されている。また、選択パルスは「＋１」，「−１」の２値で表す。また、データ線Ｙ１の駆動電圧は、「−Ｖ２」，「＋Ｖ２」，「Ｖ１」の３値である。
【０１３２】
データ線Ｙ１に、「−Ｖ２」，「＋Ｖ２」，「Ｖ１」のいずれの電圧を与えるかは、表示データベクトルｄと、選択行列βとの積により決定される。
【０１３３】
図２１の（ａ）の場合は、ｄ・β＝−２であり、図２１の（ｂ）の場合は、ｄ・β＝＋２であり、図２１の（ｃ）の場合は、ｄ・β＝＋２であり、図２１の（ｄ）の場合は、ｄ・β＝０となる。
【０１３４】
そして、表示データベクトルｄと、選択行列βとの積が「−２」のときにデータ線駆動電圧として「−Ｖ２」が選択され、「＋２」のときに「＋Ｖ２」が選択され、「０」のときに「Ｖ１」が選択される。
【０１３５】
表示データベクトルｄと選択行列βとの積の演算を電子回路で行う場合には、表示データベクトルｄと選択行列βの、対応するデータの不一致数を判定する回路を設ければよい。
【０１３６】
つまり、不一致数が「２」の場合には、データ線駆動電圧として「−Ｖ２」を選択する。不一致数が「０」の場合には、データ線駆動電圧として「＋Ｖ２」を選択する。また、不一致数が「１」の場合には、データ線駆動電圧として「Ｖ１」を選択する。２ラインを同時に選択するＭＬＳ駆動では、上述のようにしてデータ線駆動電圧を決定し、１フレーム期間内で２回の選択を行うことによって、画素のオン／オフを表示する。選択期間を複数回設けているため、非選択期間における透過率の低下が少なくなり、液晶パネルの平均の透過率（輝度）が向上する。したがって、液晶パネルのコントラストも向上する。
【０１３７】
Ｄ．ＭＬＳ駆動の具体例
以下、図２２を用いて、４ラインの走査線を同時に選択して単純マトリクス型液晶表示装置を駆動する場合の動作を具体的に説明する。
【０１３８】
走査線には、あらかじめ選ばれた直交関数系により定義される走査電圧パターンに従って、３つ（＋Ｖ1、０、−Ｖ1）の電圧レベルが適宜選択され、４本の走査線にそれぞれ印加されるようになっている。走査電圧パターンの一例を、図２３Ａ，図２３Ｂに示す。
【０１３９】
例えば、図２２の（ａ）に示されるように、４本の走査線Ｘ1〜Ｘ4が同時に選択される。
【０１４０】
このとき、走査電圧パターンと表示データパターンとを比較し、その不一致の数によって決定された電圧レベル（−Ｖ3、−Ｖ2、０、＋Ｖ2、＋Ｖ3の５つの電圧レベルのうちいずれか）が、データ線駆動回路により各データ線に印加される。以下にデータ線に印加される電圧レベルを決定する手順の説明を行う。
【０１４１】
走査電圧パターンは、選択電圧が＋Ｖ1の場合（＋）、選択電圧が−Ｖ1の場合（−）、表示パターンは、オン表示のデータの場合（＋）、オフ表示のデータの場合（−）とする。非選択期間は不一致数の考慮はしない。
【０１４２】
図２２では、１画面を表示するのに必要な期間を１フレーム期間（Ｆ）とし、すべての走査線を１回選択するのに必要な期間を１フィールド期間（ｆ）とし、走査線を１回選択するのに必要な期間を１選択期間（Ｈ）とする。
【０１４３】
ここで、図２２の「Ｈ1st」は最初の選択期間であり、「Ｈ2nd」は２番目の選択期間である。
【０１４４】
また、ｆ1stは最初のフィールド期間であり、ｆ2ndは２番目のフィールド期間である。また、Ｆ1stは最初のフレーム期間であり、Ｆ2ndは２番目のフレーム期間である。
【０１４５】
図２２の場合、最初のフィールド期間ｆ1st中の最初の選択期間（Ｈ1st）において選択される４ライン（Ｘ1〜Ｘ4）の走査パターンはあらかじめ、図２２の（ａ）に示すように設定されているから、表示画面の状態によらず、常に（＋＋−＋）である。
【０１４６】
ここで、全面オン表示を行う場合を考えると、（画素（Ｘ1、Ｙ1）、画素（Ｘ2、Ｙ1）、画素（Ｘ3、Ｙ1）及び画素（Ｘ4、Ｙ1））に対応する１列目の表示パターンは、（＋＋＋＋）である。両パターンを順番に比較すると、１番目、２番目及び４番目は極性が一致し、３番目は極性が相違する。つまり、不一致数は「１」である。不一致数が「１」の場合、５レベル（＋Ｖ3、＋Ｖ2、０、−Ｖ2、−Ｖ3）ある電圧レベルのうち−Ｖ2を選択する。こうすると、＋Ｖ1を選択している走査線Ｘ1、Ｘ2及びＸ4の場合には、−Ｖ2の選択により液晶素子に印加される電圧は高くなる一方、−Ｖ1を選択している走査線Ｘ3の場合には、−Ｖ2の選択により液晶素子に印加される電圧は低くなる。
【０１４７】
このようにしてデータ線に印加される電圧は、直交変換時の「ベクトルの重み」に相当し、４回の走査パターンに対してすべての重みを加えると真の表示パターンを再生することができるように電圧レベルが設定される。
【０１４８】
同様に、不一致数が「０」の場合は−Ｖ3、不一致数が「２」の場合は０レベル、不一致数が「３」の場合は＋Ｖ2、不一致数が「４」の場合は＋Ｖ3を選択する。Ｖ2とＶ3はその電圧比が（Ｖ2：Ｖ3＝１：２）となるように設定する。
【０１４９】
同様の手順で、Ｘ1〜Ｘ4の４ラインの走査線について、Ｙ2からＹmまでのデータ線の列の不一致数を決定し、得られた選択電圧のデータをデータ線駆動回路に転送し、最初の選択期間に上記手順によって決められた電圧を印加する。
【０１５０】
同様に、全ての走査線（Ｘ1〜Ｘn）について、以上の手順を繰り返すと、最初のフィールド期間（ｆ1st）における動作が終了する。
【０１５１】
同様に２番目以降のフィールド期間についても、全ての走査線について上記の手順を繰り返すと１つのフレーム（Ｆ1st）が終わり、これにより、１つの画面の表示が行われる。
【０１５２】
上記の手順に従い、全面オンの場合のデータ線（Ｙ1）に印加する電圧波形を求めると、図２２の（ｂ）のようになり、画素（Ｘ1、Ｙ1）に印加される電圧波形は、図２２の（ｃ）のようになる。
【０１５３】
以上が、ＭＬＳ駆動法の具体例の説明である。
【０１５４】
（１０）第９の実施の形態
本実施の形態では、画像表示に使用しない画面と、表示を行う画面との境界位置を、表示パネルのＹ側（走査線側）で制御する場合について説明する。
【０１５５】
つまり、図２４Ａに示すように、表示制御信号ＤＯＦＦ３，ＤＯＦＦ４を走査線駆動回路５０，６０にも入力し、例えば、図２４Ｂに示すように、液晶パネル７０の画面を、画像表示に使用するエリア８２と、画像表示に使用しないエリア８４とに区画する。
【０１５６】
このような表示制御は、例えば、図２５に示すような駆動を行うことにより実現できる。つまり、図２５に示される駆動法では、画像表示に使用するエリア５０２を担当する走査線のみを選択対象とし、それ以外のエリア５０４を走査線を選択対象から除外する。
【０１５７】
これにより、実質的に表示パネルのサイズが変更されたことになり、駆動のデューティーが、「Ｎ」から「Ｎ／２」へと変化する。したがって、そのデューティー変化に対応させて、制御信号ＶCONにより、可変電圧源５１０が走査線駆動回路に供給する電圧を変化させる。
【０１５８】
図２５の例では、駆動のデューティーは１／２になっているから、可変電圧源５１０が走査線駆動回路に供給する電圧も約半分でよいことになる。
【０１５９】
一方、画像表示に使用しないエリア５０４は、表示画面としてまったく機能しないエリアとなる。
【０１６０】
可変電圧源２６は、例えば、図２６に示すようなブートストラップ回路を用いて構成できる。
【０１６１】
図２６のブートストラップ回路は、以下のように動作する。
【０１６２】
トランジスタＱ２のゲート電圧Ｖｇが「Ｈ」となってトランジスタＱ２がオンすると、電流ｉ１が流れてコンデンサＣOを充電する。これによって、コンデンサＣOの両端の電圧はＶ１となる。
【０１６３】
次に、トランジスタＱ２をオフさせると、電流ｉ２が流れてトランジスタＱ１がオンし、Ａ１点の電位はＶｓに等しくなる。
【０１６４】
このとき、Ｂ１点の電位は、Ｖｓ＋Ｖ１に昇圧される。したがって、Ｖ１およびＶｓを適宜に設定すれば、種々の電圧を発生させることができる。
【０１６５】
本実施の形態の駆動方法を実現するための、ＭＬＳ駆動法を採用した液晶表示装置の構成が図５１０に示される。ＭＬＳコントローラ２３４０が、表示制御信号ＤＯＦＦ３，ＤＯＦＦ４による表示制御に対応させて、制御信号ＶCONにより可変電圧源５１０の出力電圧を変化させるようになっている。
【０１６６】
（１１）第１０の実施の形態
本実施の形態では、駆動のデューティーを変化させることなく画像のサイズを拡大する。つまり、画像の解像度を変換する処理を行う。以下、この処理について、図２８Ａ〜図２８Ｃを用いて説明する。
【０１６７】
図２８Ａに示すように、表示パネルが、２つの表示エリア「Ａ」および「Ｂ」を有し、表示エリア「Ａ」における走査線の駆動はＹドライバ５２０が担当し、表示エリア「Ｂ」における走査線の駆動はＹドライバ５３０が担当するものとする。
【０１６８】
そして、図２５を用いて説明した方法を用いて、図２８Ｂに示すように、エリア「Ａ」のみに画像を表示する。このとき、エリア「Ｂ」は何ら表示に寄与しないエリアとなっている。この状態では、表示パネルの上半分しか画像表示に用いられておらず、画像を見る者に対するインパクトが弱い。
【０１６９】
そこで、図２８Ｃに示すように、縦方向において隣接する２つの画素に同じ画像を表示させ、これにより、画像サイズを縦方向に２倍に拡大する。この場合、画像サイズは２倍となったが、同じ画像を２つの画素に表示させているにすぎないので駆動のデューティーは図２８Ｂと同じである。よって、消費電力はそれほど変化しない。但し、画像の解像度は１／２となって表示画像の品質は低下する。しかし、画像のサイズが２倍になったことによって、見る者に与えるインパクトが強くなり、それだけ、表示としての機能が強化されたことになる。
【０１７０】
以上説明した、駆動のデューティーを変化させることなく画像サイズを２倍（解像度は１／２）とする処理を実現するための、ＭＬＳ駆動を用いた液晶表示装置における走査線駆動回路の要部構成の一例を図２９に示す。また、図３０Ａ，図３０Ｂにはそれぞれ、図２８ｂに示すような表示を行う場合と、図２８Ｃに示す倍角表示を行う場合の、各部の条件を具体的に示してある。
【０１７１】
図２９に示される回路６００は、１Ａ，２Ａ・・・８Ａの入力端子と、１Ｂ，２Ｂ・・・８Ｂの各入力端子をもつ。そして、各入力端子には、図示されるようにデータＤ０，Ｄ１，Ｄ２，Ｄ３のいずれかが入力されている。データＤ０，Ｄ１，Ｄ２，Ｄ３は、走査線に与える電圧を決定するデータである。
【０１７２】
そして、制御信号Ｂ０が「Ｌ」のときは、１Ａ，２Ａ・・・８Ａの各端子に入力されているデータを出力端子１Ｙ，２Ｙ・・・８Ｙに出力する。一方、制御信号Ｂ０が「Ｈ」のときは、１Ｂ，２Ｂ・・・８Ｂの各端子に入力されているデータを出力端子１Ｙ，２Ｙ・・・８Ｙに出力する。
【０１７３】
一方、回路６００の各出力端子１Ｙ，２Ｙ・・・８Ｙには、２入力アンドゲート６１０〜６１７の一方の入力端子が接続されている。また、２入力アンドゲート６１０〜６１３の他方の入力端子にはイネーブル制御信号ＥＮ１が入力され、２入力アンドゲート６１４〜６１７の他方の入力端子にはイネーブル制御信号ＥＮ２が入力されている。
【０１７４】
図２８Ｂのような表示を行う場合には、図３０Ａに示すように、制御信号Ｂ０を「Ｌ」とし、イネーブル制御信号ＥＮ１を「Ｈ」とし、イネーブル制御信号ＥＮ２を「Ｌ」とする。これにより、図２９の２入力アンドゲート６１０〜６１４の出力端子ＯＵＴ１〜ＯＵＴ４にはそれぞれ、データＤ０，Ｄ１，Ｄ２，Ｄ３が出力され、各データに基づき４本の走査線の電圧が決定される。
【０１７５】
一方、図２８Ｃのような倍角表示を行う場合には、図３０Ｂに示すように、制御信号Ｂ０を「Ｈ」とし、イネーブル制御信号ＥＮ１を「Ｈ」とし、イネーブル制御信号ＥＮ２も「Ｈ」とする。これにより、図２９の２入力アンドゲート６１０〜６１７の出力端子ＯＵＴ１〜ＯＵＴ８にはそれぞれ、データＤ０，Ｄ０，Ｄ１，Ｄ１，Ｄ２，Ｄ２，Ｄ３，Ｄ３が出力され、各データに基づき８本の走査線の電圧が決定される。つまり、隣り合う走査線には、同じ走査線駆動電圧が与えられる。これにより、画像サイズが２倍となる。
【０１７６】
以上の例では画像サイズを２倍としたが、同様の手法を用いれば、画像サイズを４倍，８倍等することも可能である。いずれの場合も、１画面のうちの一部のエリアを部分的に表示オフ状態とした場合と同等の低い消費電力でもって、液晶パネルのユーザーに対する、アイコン表示等のインパクトを増大させて、表示を印象づける効果がある。
【０１７７】
（１２）第１１の実施の形態
第９の実施の形態では、図２４や図２５を用いて、画像表示に使用しない画面と、表示を行う画面との境界位置を表示パネルのＹ側（走査線側）で制御する場合の表示制御方法について説明した。しかし、この方法では、駆動のデューティーが変化するため、可変電圧源が必要であった。
【０１７８】
本実施の形態では、駆動のデューティーを変化させずに、同様の表示制御を行う。
【０１７９】
図３１に示すように、本実施の形態では、駆動のデューティー「Ｎ」を変化させずに、走査線Ｓ１〜Ｓ６までを全部選択する。
【０１８０】
なお、表示パネル５００の画面のうち、走査線Ｓ１〜Ｓ３が担当するエリア５０２が画像表示に使用されるエリアであり、走査線Ｓ４〜Ｓ６が担当するエリア５０４が画像表示に使用されないエリアである。
【０１８１】
いま、データ線Ｌ１に沿って６つの画素Ｍ１〜Ｍ６を考え、画素Ｍ１〜Ｍ３をオンさせ、画素Ｍ４〜Ｍ６をオフさせることを考える。画素Ｍ４〜Ｍ６を単にオフさせるだけなら、走査線Ｓ４〜Ｓ６の選択時に、データ線Ｌ１の電圧レベルを上述のＶｃ（走査線の非選択時の電圧）に固定すればよいが、これでは、画素Ｍ１〜Ｍ３の表示が極めて暗くなってしまい、適正な表示は行えない。これは、表示装置では、データ線Ｌ１に所定の表示を行うための電圧（オン／オフ表示を行うための電圧）が常に印加されることを前提に回路が設計されるからである。つまり、データ線Ｌ１に、走査線の非選択時の電圧レベルＶｃを継続して印加することは、規格外の駆動法なのである。
【０１８２】
そこで、本実施の形態では、走査線Ｓ４，Ｓ５，Ｓ６を選択するべきタイミングでは、走査線には非選択時の電圧Ｖｃを印加し、一方、データ線Ｌ１には、通常のオン／オフ表示を行う場合に印加するべき電圧のうちの一つを印加する。これにより、画素Ｍ１，Ｍ２，Ｍ３による表示を適正に維持しつつ、画素Ｍ４，Ｍ５，Ｍ６については表示オフ状態とすることが可能となる。このとき、表示オフ状態となっているエリア５０４については、走査線の電圧レベルがＶｃに固定され、極性反転を行わないため、データ線に表示を行う場合の電圧が印加されるといっても、消費電力は低減される。
【０１８３】
また、本実施の形態では、駆動のデューティーが変化しないために可変電圧源を用いること必要がなく、電圧源回路の構成が簡単で、よって消費電力を低減することができる。
【０１８４】
図３２は、４ライン同時選択のＭＬＳ駆動法に、本実施の形態の駆動法を適用した場合の動作を示すタイミングチャートである。図３２では、便宜上、第１および第２のフィールド期間の信号波形を示している。
【０１８５】
図３２中、時刻ｔ１〜ｔ２までの期間および時刻ｔ３〜ｔ４までの期間が適正に画像表示をなす期間であり、時刻ｔ２〜ｔ３までの期間が表示オフとする期間である。時刻ｔ２〜ｔ３までの期間では、該当する走査線Ｙ１０１〜Ｙ２００については非選択電圧レベルＶｃに維持され、一方、データ線には「Ｖｃ」ではなく、「ＶY4」が印加されているのがわかる。
【０１８６】
図３２に示される動作を行う、ＭＬＳ駆動法を採用した液晶表示装置の構成を図３３に示す。図２７の表示装置とは異なり、固定電圧源５１２が設けられている。また、ＭＬＳコントローラ２３４０が、表示制御信号ＤＯＦＦ３，ＤＯＦＦ４を送出して、走査線駆動出力をＶｃに固定させると共に、これに合わせて、制御信号ＶXCを送出して、Ｘドライバ５２０，５３０の出力を所定の電圧（例えば、図３２に示すＶY4）に固定させるようになっている。
【０１８７】
（１３）第１２の実施の形態
図３４Ａ，図３４Ｂに本実施の形態の液晶表示装置の要部の構成を示す。本実施の形態の特徴は、表示オフ状態の画面とするとき、走査線またはデータ線のうちの少なくとも一つを電位的にフローティング状態（ハイインピーダンス状態）とすることである。これにより、液晶パネルにおける無駄な消費電力を低減できる。
【０１８８】
図３４Ｂに示すように、液晶パネルは導体層８００，８２０の間に液晶８１０を封じ込め、電圧源７００から所定の電圧を発生させて液晶を駆動し、所定の表示を行う。なお、導体層８００，８２０は走査線およびデータ線の構成材料である。
【０１８９】
導体層８００，８２０に同じ電圧を印加して表示オフ状態としても、種々の要因により各導体層の電位には微少な差が生じる。そして、液晶８１０と電圧源７００とを結ぶ経路が構成されていると、導体層８００と導体層８２０との電位差に起因して、導体層８００または導体層８２０から液晶８１０への電荷の注入が生じ、電流が流れる。この電流は無駄な電流である。
【０１９０】
そこで、図３４Ｂに示すように、導体層８００，８２０への電圧印加経路にスイッチ７１１，７２６を設けて、ハイインピーダンスモードの場合にはスイッチ７１１，７２６の少なくとも一つを開状態とするものである。これにより、電流経路が遮断され、無駄な電流は一切流れない。これにより、消費電力を削減できる。
【０１９１】
但し、走査線またはデータ線が電位的にフローティング状態となって不安定であるため、静電気等に起因して不所望な模様等が画面に現れる場合も想定される。そこで、走査線またはデータ線の少なくとも一つを電位的にフローティング状態とする場合には、画面をカバーで覆って、液晶パネルのユーザーに不快感を与えないようにするのが望ましい。
【０１９２】
図３４Ａの液晶パネルでは、スイッチ手段７１０内のスイッチ７１１〜７１６およびスイッチ手段７２０内のスイッチ７２１〜７２６がすべて開状態となっている。したがって、走査線Ｌ１〜Ｌ６およびデータ線Ｓ１〜Ｓ６はすべて電位的にフローティング状態となっている。そして、その画面上をカバー７５０が覆っている。
【０１９３】
ＭＬＳ駆動法を採用した液晶表示装置において、データ線の電位をフローティング状態として表示を禁止するモード（ハイインピーダンスモード）を実現するための構成を、図３５および図３６に示す。
【０１９４】
すなわち、図３５に示すように、マルチラインデコーダ８６０にハイインピーダンスモードを指示する制御信号Ｈｉ−Ｚを入力する。マルチラインデコーダ８６０には、前述の表示オフ状態を指示する表示制御信号ＤＯＦＦも入力されている。
【０１９５】
マルチラインデコーダ８６０および電圧セレクタ８７０の具体的構成の一例が図３６に示される。
【０１９６】
マルチラインデコーダ８６０は、画像データ（ＤＡＴＡ）と表示制御信号ＤＯＦＦとをデコードするための論理ゲートＮＡ１〜ＮＡ５と、制御信号Ｈｉ−ＺとロジックゲートＮＡ１〜ＮＡ５の各出力とをデコードするためのアンドゲートＮＢ１〜ＮＢ５と、を有している。
【０１９７】
制御信号Ｈｉ−Ｚが「Ｌ」となると、アンドゲートＮＢ１〜ＮＢ５の出力は強制的に「Ｌ」に固定される。これにより、電圧セレクタ８７０内のスイッチＳＷ１〜ＳＷ５はいずれも開状態となって、データ線は電位的にフローティング状態となる。これにより、表示画面はハイインピーダンスモードとなる。
【０１９８】
（１４）第１３の実施の形態
図３７に本実施の形態の液晶表示装置の特徴的な構成を示す。
【０１９９】
本実施の形態の液晶表示装置は、第１の表示パネル９１０と、第２の表示パネル９２０とを具備している。
【０２００】
そして、第１の表示パネル９１０の走査線数（駆動のデューティー）を適宜に設定することにより、電圧源９３０が走査線ドライバ（Ｙ１）９６０に供給する電圧ＶX1と、データ線ドライバ（Ｘ１）９４０に供給する電圧ＶY5とを等しくしている。したがって、電圧源９３０は、共通の電圧を発生させるだけでよく、電源回路９３０の構成が簡素化され、これにより、消費電力の削減が図られている。
【０２０１】
２つのパネル９１０，９２０は共に、ＭＬＳ駆動法されて画像を表示する。図３７において、Ｘドライバ（Ｘ１）９４０，Ｘドライバ（Ｘ２）９４２ならびにＹドライバ（Ｙ１）９６０は、第１の表示パネル９１０を駆動するために設けられている。また、Ｘドライバ（Ｘ３）９４４，Ｘドライバ（Ｘ４）９４６，Ｙドライバ（Ｙ２）９６２，Ｙドライバ（Ｙ３）９６４は、第２の表示パネルを駆動するために設けられている。
【０２０２】
第１の表示パネル９１０は、例えば、簡単なアイコン表示を行うための専用パネルであり、第２のパネル９２０は、その他の種々の表示を行うための汎用パネルである。そして、第１のパネル９１０の走査線数は、第２のパネル９２０の走査線数よりもかなり小さくなっている。
【０２０３】
これは、第１の表示パネル９１０はアイコンのみを表示すればよく、したがって細長く小さな表示エリアであっても問題がないことに着目し、第１の表示パネル９１０の駆動のデューティーを小さくして、Ｘドライバ９４０に供給される電圧のレベルとＹドライバ９６０に供給される電圧のレベルとが一致するように設計してあるからである。
【０２０４】
つまり、図１Ｂの右側に示すように、ＭＬＳ駆動法を採用する場合において、走査線の選択電圧レベルＶX1（−ＶX1）と、データ線の選択電圧レベルＶY5（ＶY1）とは一致しないのが通常である。しかし、例えば、走査線の同時選択数ｈ＝４，液晶のしきい値電圧Ｖｔｈ＝２．０Ｖの場合に、第１の表示パネル９１０の走査線数を１６本とすると、ＶX1，ＶY5のそれぞれのレベルが３．２７Ｖとなって一致する。
【０２０５】
このように、走査線数を適宜に調整する（駆動のデューティーを調整する）ことによって、走査線の選択電圧レベルとデータ線の選択電圧レベルとを一致させることができる。図３７の表示装置では、このことを利用して、電圧源９３０の構成を簡素化して消費電力の削減を図るものである。これにより、アイコンを低消費電力で表示できるようになる。
【０２０６】
また、第２の表示パネル９２０を用いて、種々の多彩な表示を行うことも可能である。
【０２０７】
（１５）第１４の実施の形態
本実施の形態では、表示マトリクスを駆動するための駆動回路に、走査線を駆動するための機能とデータ線を駆動するための機能とを併せ持たせておく。
【０２０８】
そして、画像表示エリアの形状やサイズに応じて適宜にその機能を切換えて、駆動のデューティーを変化させることにより、走査線の選択時の電圧を低減し、画像表示時の消費電力を削減する。
【０２０９】
図３８を用いて具体的に説明する。図３８において、エリア９１２は画像表示に使用されるエリア（表示エリア）であり、エリア９２２が画像表示に使用されないエリア（表示オフモードのエリア）である。
【０２１０】
現在は、ドライバ９４１がデータ線ドライバ（Ｘドライバ）として機能しており、ドライバ９６１およびドライバ９６３が走査線ドライバ（Ｙドライバ）として機能しているとする。
【０２１１】
ここで、表示エリア９１２の形状に着目する。表示エリア９１２は縦に細長い形状をしている。つまり、縦が長く、横が短い。そこで、このような場合は、ドライバ９４１を走査線ドライバ（Ｙドライバ）として機能させ、ドライバ９６１およびドライバ９６３をデータ線ドライバ（Ｘドライバ）として機能させる。すると、走査線数（駆動のデューティー）が減少し、デューティーが小さくなった分だけ走査線の選択電圧レベルを低下させることができる。これにより、表示装置の消費電力を削減できる。
【０２１２】
（１６）第１５の実施の形態
以下、本発明の表示装置を搭載した電子機器について、図３９〜図４３を参照して説明する。
【０２１３】
図３９Ａは携帯電話の通常使用時の外観を示し、図３９Ｂは携帯電話を携帯用端末として使用する場合の外観を示す。
【０２１４】
携帯電話は、画面１０００および画面１０１０と、アンテナ１１００と、タッチキー１２００と、マイク１３００と、パネル１４００とを有する。画面１０００および画面１０１０は、一つの液晶表示パネルを構成する。
【０２１５】
図３９Ａ，図３９Ｂから明らかなように、通常の使用時では、画面１０１０はパネル１４００の下に隠れている。したがって、通常使用時においては、画面１０１０は、表示オフモードあるいはハイインピーダンスモードとなっている。
【０２１６】
そして、携帯用端末として使用する場合には、図３９Ｂに示すように、パネル４００が下側に折り返され、画面１０１０があらわれる。この状態では、画面１０１０についての表示オフモードあるいはハイインピーダンスモードは解除されており、したがって、画面１００および画面１０１０を用いた多彩な画像表示が可能である。
【０２１７】
図４０Ａ，図４０Ｂは、携帯用電子辞書の使用態様を示す図である。
【０２１８】
携帯用電子辞書１５００は、通常は、図４０Ａのような形態で使用され、このときは、画面１５１０を用いて所望の表示がなされる。
【０２１９】
そして、画面１５１０では足りないときには、図４０Ｂに示されるように、画面１５２０が上側に押し出されてきて、画像表示エリアが拡大される。図４０Ａの状態では、画面１５２０は本体内部に隠れて見えないため、表示オフモードあるいはハイインピーダンスモードとなっている。
【０２２０】
図４１Ａ，図４１Ｂはそれぞれ、携帯用電子機器の外観を示す図である。
【０２２１】
図４１の携帯用電子機器は、枠体１６００と、表示パネル１６２０と、カバー１６１０とをもつ。カバー１６１０は、左右にスライドすることができ、これにより、表示エリアのサイズを適宜に変化させたり、表示画面を分割したりすることができる。表示パネルのうちの、カバー１６１０の下に隠れて見えないエリアは、表示オフモードあるいはハイインピーダンスモードとなっている。
【０２２２】
また、図４１Ｂでは、２つのカバー１６１２，１６１４を設けている。各カバーは左右にスライドすることができ、表示エリアのサイズを適宜に変化させることができる。表示パネル１６２２のうちの、カバー１６１２，１６１４の下に隠れて見えないエリアは、表示オフモードあるいはハイインピーダンスモードとなっている。
【０２２３】
図４２Ａ，図４２Ｂは、携帯型電子翻訳機の使用形態を示す図である。
【０２２４】
携帯型電子翻訳機１７００の画面１７１０には、図４２Ａに示されるように、翻訳するべき英単語が示されている。そして、図４２Ｂに示すように、カバー１７２０をスライドさせると、その英単語の日本語訳が画面１７３０に表示される。
【０２２５】
表示パネルのうちの、カバー１６１２，１６１４の下に隠れて見えない画面は、表示オフモードあるいはハイインピーダンスモードとなっている。
【０２２６】
図４３の携帯電話では、待機時において、表示パネルの表示画面を、エリア「Ａ」とエリア「Ｂ」に区分し、エリア「Ａ」にアイコン等の簡単な画像を表示し、エリア「Ｂ」は、表示オフモードあるいはハイインピーダンスモードとする。
【０２２７】
以上の電子機器では、表示に寄与しないエリアを部分的に表示オフモードあるいはハイインピーダンスモードとすることにより、極めて低い消費電力でもって所望の画像表示を行うことができる。
【図面の簡単な説明】
【図１】図１Ａは、本発明の表示装置の駆動方法における走査線およびデータ線の電圧レベルの一例を示す図であり、図１Ｂは、走査線およびデータ線の電圧レベルの他の例を示す図である。
【図２】本発明の表示装置の駆動方法の原理を説明するための図である。
【図３】図３Ａは、本発明の駆動方法を採用した単純マトリクス型液晶表示装置の構成の一例を示す図であり、図３Ｂは、図３Ａの装置の表示画面の一例を示す図である。
【図４】図４Ａは、本発明の駆動方法を採用した単純マトリクス型液晶表示装置の構成の他の例を示す図であり、図４Ｂは、図４Ａの装置の表示画面の例を示す図である。
【図５】走査線を一本一本選択していく駆動方法（ＡＴＰ駆動方法）を採用した場合の、本発明における走査線ならびにデータ線の電圧レベルを示す図である。
【図６】液晶表示装置の印加電圧と光透過率との関係を示す図である。
【図７】図７Ａは、本発明の駆動方法を採用した単純マトリクス型液晶表示装置の構成例を示す図であり、図７Ｂは、図７Ａの装置における特徴的動作を説明するためのタイミングチャートである。
【図８】図８Ａは、図７Ａの液晶表示装置の動作の一例を例を示すタイミングチャートであり、図８Ｂは、他の動作例を示すタイミングチャートである。
【図９】本発明の駆動方法を採用した単純マトリクス型液晶表示装置の構成例を示す図である。
【図１０】図１０Ａは、図９の液晶表示装置の動作の一例を示すタイミングチャートであり、図１０Ｂは、他の動作例を示すタイミングチャートである。
【図１１】本発明の液晶表示装置の構成例を示す図である。
【図１２】図１２Ａ，図１２Ｂ，図１２Ｃはそれぞれ、図１１の液晶表示装置における表示制御の態様を示す図である。
【図１３】本発明の液晶表示装置の要部の構成の一例を示す図である。
【図１４】本発明の液晶表示装置の要部の構成の他の例を示す図である。
【図１５】図１４におけるデコーダの具体的回路構成を示す。
【図１６】図１６Ａは、４本の走査線を同時に選択して駆動する場合の走査線とデータ線の電圧レベルを示す図であり、図１６Ｂは同時選択数とデータ線の電圧レベルの数との関係を示す図である。
【図１７】マルチライン駆動法を採用した本発明の液晶表示装置の構成の一例を示す図である。
【図１８】マルチライン駆動法を採用した本発明の液晶表示装置の構成の他の例を示す図である。
【図１９】図１７または図１８の液晶表示装置における要部の構成の一例を示す図である。
【図２０】マルチライン駆動法の特徴を説明するための図である。
【図２１】マルチライン駆動法の動作の特徴を説明するための図である。
【図２２】マルチライン駆動法を採用した液晶表示装置における走査線，データ線および画素部の電圧の変化例を示す図である。
【図２３】図２３Ａ，図２３Ｂはそれぞれ、マルチライン駆動法における走査電圧パターンの例を示す図である。
【図２４】図２４Ａは、本発明の液晶表示装置の構成（走査線の配置方向に沿って画面制御を行う場合の構成）の一例を示す図であり、図２４Ｂは、図２４Ａの液晶表示装置における表示制御の態様を示す図である。
【図２５】本発明の液晶表示装置における表示制御の具体例を示す図である。
【図２６】図２５に示される可変電圧源の具体的構成の一例（ブートストラップ回路）を示す図である。
【図２７】図２７は、図２５に示される表示制御を実現するための、マルチライン駆動法を採用した液晶表示装置の構成例を示す図である。
【図２８】図２８Ａは画像が表示されていない画面を示し、図２８Ｂは、半分の画面に画像を表示した状態を示し、図２８Ｃは、図２８Ｂの表示画像を倍角で表示した状態（解像度１／２の表示状態）を示す。
【図２９】図２８Ｂおよび図２８Ｃに示される解像度変換を行うための回路の構成を示す図である。
【図３０】図３０Ａ，図３０Ｂはそれぞれ、図２９に示される回路の動作を説明するための図である。
【図３１】本発明の液晶表示装置（マルチライン駆動法を採用する装置）における表示制御の具体例を示す図である。
【図３２】図３１の装置の動作を説明するためのタイミングチャートである。
【図３３】図３１の表示制御を実現する液晶表示装置の構成例を示す図である。
【図３４】図３４Ａは、本発明の液晶表示装置の要部構成の例を示す図であり、図３４Ｂは、図３４Ａの構成の特徴を説明するための図である。
【図３５】図３４Ａ，図３４Ｂに示される表示制御を、マルチライン駆動法を採用する液晶表示装置に適用した場合の要部構成を示す図である。
【図３６】図３５の構成のより具体的な回路構成を示す図である。
【図３７】本発明の液晶表示装置の構成例を示す図である。
【図３８】本発明の液晶表示装置の構成例を示す図である。
【図３９】図３９Ａは、本発明の表示装置を搭載した携帯電話の通常使用時の正面図であり、図３９Ｂは、図３９Ａの携帯電話の特殊使用時の正面図である。
【図４０】図４０Ａ，図４０Ｂはそれぞれ、本発明の表示装置を搭載した携帯型電子辞書の斜視図である。
【図４１】図４１Ａ，図４１Ｂはそれぞれ、本発明の表示装置を搭載した電子機器の外形を示す図である。
【図４２】図４２Ａ，図４２Ｂはそれぞれ、本発明の表示装置を搭載した携帯型電子翻訳機の斜視図である。
【図４３】表示装置を搭載した携帯電話の外形を示す図である。
【図４４】通常の単純マトリクス型液晶表示装置の主要な構成を示す図である。
【図４５】従来の液晶表示装置の駆動法における走査線およびデータ線の電圧レベルを示す図である。
【図４６】通常の単純マトリクス型液晶表示装置の動作を説明するためのタイミングチャートである。
【図４７】従来の液晶表示装置の駆動方法の問題点を示す図である。
【符号の説明】
２，１００，１１０，２８０，５０００  Ｘドライバ（信号線駆動回路）
４，２０，５２０，５３０，４０００  Ｙドライバ（走査線駆動回路）
６，７０  液晶パネル
１０〜４０  データ線駆動ＩＣ
５０，６０  走査線駆動ＩＣ
８０  画像表示エリア
９０  表示オフ状態のエリア
１３０  オアゲート
２００  動作タイミングコトンーラ
２１０  データシフトレジスタ
２２０  ラッチ
２３０  レベルシフタ
２４０  電圧セレクタ
２５０  液晶パネル
２５２  フレームメモリ
２５６  シフトレジスタ
２５８  ＭＬＳデコーダ
２７０  表示画面
２８０  Ｘドライバ
２９０  Ｙドライバ
３００〜３３０  デコーダ
３４０〜３７０  電圧セレクタ
４００  デコーダ
４０４〜４１２  ロジックゲート
５００  液晶パネル
５０２，５０４  画面
５１０  可変電源
５１２  固定電源
５２０，５３０  Ｘドライバ
５４０，５５０  Ｙドライバ
６００  回路
６１０〜６１７  入力アンドゲート
７００  電圧源
７１０，７２０  スイッチ手段
７１１〜７１７，７２１〜７２６  スイッチ
７５０  カバー
８００，８２０  導体層
８１０  液晶
８６０  マルチラインデコーダ
８７０  電圧セレクタ
９００  液晶パネル
９１０  第１の表示パネル
９１２，９２２  表示エリア
９２０  第２の表示パネル
９３０  電圧源
９４０〜９４６  データ線ドライバ
９６０〜９６４  走査線ドライバ
１０００，１０１０  画面
１１００  アンテナ
１２００  タッチセンサ
１３００  マイク
１４００  パネル
１５００  携帯用電子辞書
１５１０，１５２０  画面
１６００  枠体
１６１０，１６１２，１６１４  カバー
１６２０  表示パネル
１７００  携帯用電子翻訳機
１７１０，１７３０  画面
１７２０  カバー
２０００  制御回路
２０１１  入力バッファ
２０２１  出力シフトレジスタ
２１００  電圧セレクタ
２２００  Ｙドライバ
２２５０  液晶パネル
２３００  マイクロプロセッサ（ＭＰＵ）
２３１０  システムメモリ
２３２０  ビデオＲＡＭ
２３３０  補助記憶装置
２３４０  ＭＬＳコントローラ
２３４２  制御信号発生回路
２３４４  ＤＭＡ制御回路
２４００  入力用タッチセンサ
２４１０  タッチセンサコントロール回路
２４２０  システムバス
２４３０  発振回路
２４４０  インターフェース回路
２４５０  制御回路
【図１】
0003695328.tif 000002
【図２】
0003695328.tif 000003
【図３】
0003695328.tif 000004
【図４】
0003695328.tif 000005
【図５】
0003695328.tif 000006
【図６】
0003695328.tif 000007
【図７】
0003695328.tif 000008
【図８】
0003695328.tif 000009
【図９】
0003695328.tif 000010
【図１０】
0003695328.tif 000011
【図１１】
0003695328.tif 000012
【図１２】
0003695328.tif 000013
【図１３】
0003695328.tif 000014
【図１４】
0003695328.tif 000015
【図１５】
0003695328.tif 000016
【図１６】
0003695328.tif 000017
【図１７】
0003695328.tif 000018
【図１８】
0003695328.tif 000019
【図１９】
0003695328.tif 000020
【図２０】
0003695328.tif 000021
【図２１】
0003695328.tif 000022
【図２２】
0003695328.tif 000023
【図２３】
0003695328.tif 000024
【図２４】
0003695328.tif 000025
【図２５】
0003695328.tif 000026
【図２６】
0003695328.tif 000027
【図２７】
0003695328.tif 000028
【図２８】
0003695328.tif 000029
【図２９】
0003695328.tif 000030
【図３０】
0003695328.tif 000031
【図３１】
0003695328.tif 000032
【図３２】
0003695328.tif 000033
【図３３】
0003695328.tif 000034
【図３４】
0003695328.tif 000035
【図３５】
0003695328.tif 000036
【図３６】
0003695328.tif 000037
【図３７】
0003695328.tif 000038
【図３８】
0003695328.tif 000039
【図３９】
0003695328.tif 000040
【図４０】
0003695328.tif 000041
【図４１】
0003695328.tif 000042
【図４２】
0003695328.tif 000043
【図４３】
0003695328.tif 000044
【図４４】
0003695328.tif 000045
【図４５】
0003695328.tif 000046
【図４６】
0003695328.tif 000047
【図４７】
0003695328.tif 000048